(57)【要約】【課題】着用者が腹部の締め付けを感じることなく快適に着用することができ、夜間の就寝時においても経血の横漏れを生じることのない生理用ショーツの提供。【解決手段】生理用ショーツは、その外面を形成する伸縮性の身生地３０と、身生地３０の肌対向面側に配置された、少なくとも股部１３全体に位置する後身頃防水布と、レッグ回り方向へ環状に延びる円筒状部２０とを有する。円筒状部２０は、横方向Ｘの内側に位置する内側部分２１と、横方向Ｘの外側に位置する外側部分２２とを有し、内側部分２１は股部１３の一部から形成されており、内側部分２１は外側部分２２よりも伸縮性が低く、前身頃１１は、股部１３及び後身頃１２よりも縦方向Ｙ及び横方向Ｘにおいて高い伸縮性を有する。【選択図】図６
2018075313.tif 000002
【特許請求の範囲】
【請求項１】
縦方向及び横方向を有し、肌対向面及びその反対側に位置する非肌対向面と、ウエスト開口及び一対のレッグ開口と、前身頃と、後身頃と、股部とを有する生理用ショーツにおいて、
前記ショーツの外面を形成する伸縮性の身生地と、前記身生地の前記肌対向面側に配置された、少なくとも前記股部全体に位置する股下防水布と、レッグ回り方向へ環状に延びる円筒状部とを有し、
前記円筒状部は、前記横方向の内側に位置する内側部分と、前記横方向の外側に位置する外側部分とを有し、前記内側部分は前記股部の一部から形成されており、前記内側部分は前記外側部分よりも伸縮性が低く、
前記前身頃は、前記股部及び前記後身頃よりも前記縦方向及び前記横方向において高い伸縮性を有することを特徴とする生理用ショーツ。
【請求項２】
前記股部において、前記身生地に固定された前記股下防水布の肌対向面側に防水性の当て布が配置される請求項１に記載の生理用ショーツ。
【請求項３】
前記股部において、前記当て布は、その両端部においてのみ前記股下防水布に固定されており、前記当て布の前記横方向の寸法は、前記股下防水布の前記横方向の寸法よりも小さい請求項２に記載の生理用ショーツ。
【請求項４】
前記後身頃は、前記縦方向へ収縮可能に配置された縦断弾性体を有し、前記縦断弾性体の伸長応力が、前記レッグ開口の縁部に収縮可能に配置されたレッグ弾性体の伸長応力よりも高い請求項１−３のいずれかに記載の生理用ショーツ。
【請求項５】
前記ウエスト開口を画成するウエスト弾性域をさらに有し、前記前後身頃のうちの前記ウエスト弾性域を除く部分の前記横方向における伸長応力は、前記ウエスト弾性域の前記横方向における伸長応力以下である請求項４に記載の生理用ショーツ。
【請求項６】
前記後身頃の内面において、前記縦断弾性体が前記身生地よりも伸縮性の低い後身頃防水布で被覆されている請求項１−５のいずれかに記載の生理用ショーツ。
【請求項７】
前記股部に配置された前記股下防水布と前記後身頃に配置された前記後身頃防水布とは、別体である請求項６に記載の生理用ショーツ。
【発明の詳細な説明】
【技術分野】
【０００１】
本発明は、生理用ショーツに関する。
【背景技術】
【０００２】
従来、生理用ショーツは、公知である。例えば、特許文献１には、前身頃と、後身頃と、着用者の股間に対向する股部とを有し、伸縮性を有する身生地と、股部から後身頃まで延びる非伸縮性の防水布が配置されている。
【先行技術文献】
【特許文献】
【０００３】
【特許文献１】特開２００８−１７９４２号公報（Ｐ２００８−１７９４２Ａ）
【発明の概要】
【発明が解決しようとする課題】
【０００４】
特許文献１に開示された生理用ショーツでは、身生地の締め付け力によって生理用ナプキンを身体に押し当てるとともに、股部から後身頃のウエスト開口縁側まで非伸縮性の防水布が配置されていることから、臀溝をつたう経血の外部への漏れが防止されるとともに、生理用ナプキンが身生地の伸張される方向へ位置ずれすることはない。特に、夜間の就寝時においては、消費者の漏れに対する不安が強く、強く締め付けることで生理用ナプキンをしっかりと股間部に宛がうことが求められていた。
【０００５】
しかしながら、身体との隙間をなくして生理用ナプキンを身体に押し当てるために身生地全体が低伸縮性であって、強い締め付け力を発揮する生理用ショーツでは、腹部が強く締め付けられて、着用者は圧迫感を感じてリラックスできないことがあった。一方、かかる圧迫感を軽減するために、身生地を高い伸縮性の生地で形成した場合には、生理用ショーツのフィット性が低下して、身体とショーツとの間に経血の横漏れを生じるような隙間が形成されるおそれがある。特に、夜間の就寝時において寝返りをしたときに、大腿部の動きに合わせて身生地３０が伸長されて、鼠蹊部の近傍と生理用ショーツとの間に隙間が形成されて経血の横漏れが生じやすくなるおそれがある。
【０００６】
本発明は、従来の生理用ショーツの改良であって、着用者が腹部の締め付けを感じることなく快適に着用することができるとともに、夜間の就寝時等においても経血の横漏れを生じることのない生理用ショーツの提供に関する。
【課題を解決するための手段】
【０００７】
前記課題を解決するために、本発明は、縦方向及び横方向を有し、肌対向面及びその反対側に位置する非肌対向面と、ウエスト開口及び一対のレッグ開口と、前身頃と、後身頃と、股部とを有する生理用ショーツに関する。
【０００８】
本発明に係る生理用ショーツは、前記ショーツの外面を形成する伸縮性の身生地と、前記身生地の前記肌対向面側に配置された、少なくとも前記股部全体に位置する後身頃防水布と、レッグ回り方向へ環状に延びる円筒状部とを有し、前記円筒状部は、前記横方向の内側に位置する内側部分と、前記横方向の外側に位置する外側部分とを有し、前記内側部分は前記股部の一部から形成されており、前記内側部分は前記外側部分よりも伸縮性が低く、前記前身頃は、前記股部及び前記後身頃よりも前記縦方向及び前記横方向において高い伸縮性を有する。
【０００９】
本発明に係る生理用ショーツの実施態様の一つにおいて、前記股部において、前記身生地に固定された前記股下防水布の肌対向面側に防水性の当て布が配置される。
【００１０】
かかる生理用ショーツでは、股下防水布に加えて当て布も防水性を有するので、股部は２重の防水布によって高い防水性を備え、生理用ナプキンの両側から経血が漏出しても生理用ショーツの外部に流れ出て衣服を汚したりするのを抑制することができる。
【００１１】
本発明に係る生理用ショーツの他の実施態様の一つにおいて、前記股部において、前記当て布は、その両端部においてのみ前記股下防水布に固定されており、前記当て布の前記横方向の寸法は、前記股下防水布の前記横方向の寸法よりも小さくなっている。
【００１２】
かかる生理用ショーツでは、ショーツの着用状態においても、当て布の両側縁部と股下防水布の両側縁部とが重なり合わないので、生理用ナプキンを当て布に取り付けるときに容易に摘持することができる。
【００１３】
本発明に係る生理用ショーツのさらに他の実施態様の一つにおいて、前記後身頃は、前記縦方向へ収縮可能に配置された縦断弾性体を有し、前記縦断弾性体の伸長応力が、前記レッグ開口の縁部に収縮可能に配置されたレッグ弾性体の伸長応力よりも高くなっている。
【００１４】
かかる生理用ショーツでは、股部を横方向へ引っ張ろうとするレッグ弾性体の張力よりも身体へ向かって押し当てようとする縦断弾性体の張力が大きくなるので、生理用ナプキンが身体から離間することはない。
【００１５】
本発明に係る生理用ショーツのさらに他の実施態様の一つにおいて、前記ウエスト開口を画成するウエスト弾性域をさらに有し、前記前後身頃のうちの前記ウエスト弾性域を除く部分の前記横方向における伸長応力は、前記ウエスト弾性域の前記横方向における伸長応力以下である。
【００１６】
かかる生理用ショーツでは、ウエスト弾性域において着用者の身体に安定的にフィットされるホールド力を発揮する一方、その他の部分では身体が強く締め付けられることはないので、着用者は快適に着用することができる。
【００１７】
本発明に係る生理用ショーツのさらに他の実施態様の一つにおいて、前記後身頃の内面において、前記縦断弾性体が前記身生地よりも伸縮性の低い後身頃防水布で被覆されている。
【００１８】
かかる生理用ショーツでは、後身頃において高い伸縮性を有する身生地が伸張されても低伸縮の後身頃防水布が位置することによって、ナプキンが着用者の股間部から外れることはなく、仮に経血が臀溝を伝っても生理用ショーツの外部に漏れ出すことを防ぐことができる。
【００１９】
本発明に係る生理用ショーツのさらに他の実施態様の一つにおいては、前記股部に配置された前記股下防水布と前記後身頃に配置された前記後身頃防水布とは、別体である。
【００２０】
かかる生理用ショーツでは、股部の中央部に位置するナプキンを身体へ向かって押し当てようとする力の影響を股下防水布が直接受けることはなく、股部が着用者の大腿部の付け根から離間してしまうことはない。
【発明の効果】
【００２１】
本発明に係る生理用ショーツにおいては、前身頃が後身頃及び股部よりも縦方向及び横方向へ高い伸縮性を有することから、着用者の腹部を締め付けて圧迫感を与えることはなく、快適に着用することができる。また、レッグ開口回りに延びる円筒状部の内側部分が防水性を有する股部の一部から形成されており、外側部分よりも伸縮性が低いことから、着用者が寝返りをして大腿部を交差するような体勢になっても、内側部分が外側部分に連動して位置ズレすることはなく、円筒状部と身体との間に経血の横漏れを生じるような隙間が形成されることはない。
【図面の簡単な説明】
【００２２】
【図１】本発明に係る、着用状態における生理用ショーツを正面から視た斜視図。
【図２】着用状態の生理用ショーツの一部を破断した状態の斜視図。
【図３】着用状態における生理用ショーツを背面から視た斜視図。
【図４】着用状態における生理用ショーツを下方から視た斜視図。
【図５】生理用ショーツの股部に生理用ナプキンを配置する様子を示す図。
【図６】図１の一点鎖線ＶＩで囲んだ領域の一部拡大図。
【図７】（ａ）生理用ショーツを着用した着用者が仰向けになった状態の斜視図。（ｂ）着用者が寝返りをして、上半身が横向きになった状態の斜視図。（ｃ）着用者が横臥状態となった様子を示す斜視図。
【発明を実施するための形態】
【００２３】
下記の実施の形態は、図１〜７（ａ），（ｂ）に示す生理用ショーツに関し、発明の不可欠な構成ばかりではなく、選択的及び好ましい構成を含む。説明の便宜上、各図において、股部１３には、生理用ショーツ１０の他の領域と区別できるように、ドットを付している。
【００２４】
図１〜図６を参照すると、本発明のショーツの一例として示す、生理用ショーツは、縦方向Ｙ及び横方向Ｘと、着用状態における前後方向Ｚとを有し、ウエスト開口８及び一対のレッグ開口９と、前身頃１１と、後身頃１２と、前後身頃１１，１２間に位置して着用者９０の股間部と当接される股部１３とを有する。股部１３は、説明の便宜上、一対の横断縫合ライン５１，５２間に位置している。ここで、前身頃１１とは、生理用ショーツの正面視において股部１３を除く部分を意味し、後身頃１２とは、生理用ショーツの背面視において股部１３を除く部分を意味する。
【００２５】
生理用ショーツは、その外形を形成する身生地３０を有する。身生地３０は、胴回り方向へ環状に延びて、後身頃１２の外面全体と前身頃１１の横方向の中央部分を除く両側部分の外面全体を形成するウエスト生地３１と、前身頃１１の横方向Ｘの中央部分の外面を形成する前側生地３２と、股部１３の外面を形成する股下生地３３とを有する。ウエスト生地３１と前側生地３２とは、ウエスト開口８側から股部１３へ向かうにつれて互いに近づくように延びる縫着ライン３５によって接合されている。
【００２６】
身生地３０は、縦方向Ｙと横方向Ｘとに伸縮可能な伸縮性生地（ツーウエイストレッチ生地）から形成されており、その材料としては、ゴム織布、スパンデックス等のポリウレタン系繊維、レーヨン繊維、綿糸、アクリル繊維、ナイロン繊維等が好適に使用される。本実施形態においては、身生地３０は、ポリウレタン繊維とレーヨン繊維とを含む複数の繊維から形成されている。
【００２７】
具体的には、身生地３０を形成する伸縮性生地は、５質量％のポリウレタン繊維、４０質量％のレーヨン繊維、５５質量％の綿繊維から形成される。このように、身生地３０が一定割合のレーヨン繊維を含む伸縮性生地から形成されていることによって、ポリウレタン系繊維のみまたはポリウレタン系繊維と綿やポリエステル系繊維の混紡繊維から形成する場合に比べて、所要のフィット性を確保しつつ、吸汗性に優れる。特に、就寝時において布団等を被って体温が高くなっているときには、ショーツ内に体温や熱が籠りやすくなるところ、ナイロン繊維等に比べて吸放湿性に優れたレーヨン繊維を用いることによって、ショーツ内の蒸れを抑制することができる。
【００２８】
身生地３０は、縦方向Ｙ及び横方向Ｘへ伸び易くて伸縮性に富むものであって、縦方向Ｙ及び横方向Ｘにおいて２００％の伸長倍率を有する。このように、身生地が縦横ないし全方位的に高い伸張性を有することから、生理用ショーツは全体的に着用者９０の身体形状に沿って伸張されるので、着用者９０に締め付け感を与えることはない。特に、防水布等の低伸縮性の資材が配置されていない前身頃１１は伸び易く、腹部が圧迫されないので、着用者９０は快適に生理用ショーツを着用することができ、就寝時においてもリラックスすることができる。
【００２９】
生理用ショーツは、ウエスト開口８を画成する環状のウエスト弾性域６１と、レッグ開口９を画成するレッグ弾性域６２とをさらに有する。ウエスト開口８の開口縁部とレッグ開口９の開口縁部とがそれぞれウエスト弾性域６１とレッグ弾性域６２とによって形成されていることによって、各開口縁部は着用者９０の身体にフィットされる。
【００３０】
ウエスト弾性域６１は、２つに折り曲げた状態で、身生地３０の上端縁部にウエスト回り方向へ延びる環状縫合ライン５４を介して取り付けられたカバーシート６４と、折り曲げられたカバーシート６４間に伸長状態で収縮可能に配置されたウエスト弾性体６６とを有する。レッグ弾性域６２は、レッグ開口９に沿って環状に延びる単数または複数のレッグ弾性体６８から形成されている。レッグ弾性体６８は、身生地３０の内面に伸長状態で収縮可能に取り付けられている。ウエスト弾性体６６とレッグ弾性体６８とは、糸状、テープ状またはリボン状のゴムやウレタン、伸縮性繊維不織布等の弾性材料から形成される。
【００３１】
ウエスト弾性域６１においては、ウエスト弾性体６６が２つの折りにされたカバーシート６４に介在されて２層構造となっていることから、ウエスト開口縁部の保温性が向上する。したがって、単層構造を有する場合に比して着用者９０の臍部近傍を温めることができ、腹部が冷えることによる生理痛の悪化を防ぐことができる。
【００３２】
また、ウエスト弾性域６１にウエスト弾性体６６が配置されていることによって、その横方向Ｘにおける伸長応力は、前後身頃１１，１２における他の部分の横方向Ｘにおける伸長応力よりも高くなっている。前後身頃１１，１２におけるウエスト弾性域６１を除く部分（下方部分）は、後記の後身頃防水布７１の配置された領域を除き、身生地３０のみから形成されているから伸び易く、着用者９０の身体に締め付け感を与えることはないので、ウエスト弾性域６１の伸長応力がかかる他の部分よりも相対的にかなり大きい場合には、着用者９０がウエスト開口縁部において強い圧迫感を感じるおそれがある。
【００３３】
本実施形態においては、前後身頃１１，１２におけるウエスト弾性域６１を除く部分の伸長応力は、ウエスト弾性域６１の所定幅における伸長応力の０．６−０．９倍の大きさである。このように、ウエスト弾性域の伸長応力が前後身頃１１，１２における他の部分に比べて相対的に大きくなり過ぎていないことから、着用者９０に対して強い締め付け感を与えることなく、しっかりと胴回りをホールドすることができる。
【００３４】
レッグ弾性域６２の外側縁部は、幾何学模様等の装飾要素（図示せず）を有するレース生地６９によって縁取りされている。レース生地６９はオプションであって、レース生地６９によってレッグ開口９を形成することによって、ヒラヒラとした柔らかな印象を与え、意匠性に優れる。また、寝臥状態における着用者９０の大腿部９１をレースがカバーして、寝返り等による大腿部９１の捲れ上がりを抑制しうる。
【００３５】
図２，３を参照すると、後身頃１２の横方向Ｘにおける中央部分の内面には、後身頃防水布７１が配置されている。後身頃防水布７１は、横断縫合ライン５２と環状縫合ライン５４との間において湾曲して延びる環状縫合ライン５５を介して身生地３０に取り付けられている。
【００３６】
また、身生地３０と後身頃防水布７１との間には、縦方向Ｙへ伸長状態で収縮可能に取り付けられた縦断弾性体７０が配置されている。縦断弾性体７０は、ウエスト弾性体６６等と同様の弾性材料から形成されており、横断縫合ライン５２から外側部分２２まで連続的に延びているが、それらの間において断続的に延びていてもよい。また、縦断弾性体７０は、股部１３を縦断するように横断縫合ライン５２からさらに横断縫合ライン５１まで連続的に延在していてもよい。
【００３７】
図４を参照すると、横断縫合ライン５２は股下間に位置しており、後身頃１２側に位置していない。したがって、縦断弾性体７０の前端は、着用者９０の膣口と肛門の間に位置している。身生地３０が伸び易いことによって股間部を強く身体に押し当てることができないので、股部１３の縦方向Ｙの長さ寸法を比較的に小さくして、縦断弾性体７０の前端を膣口と肛門との間に位置させることによって臀溝の始点となる部分からしっかりと股部１３を身体に押し当てて、身体と生理用ナプキン４０との間に隙間が形成されないようにすることができる。
【００３８】
後身頃防水布７１は、後身頃１２の外面を形成するウエスト生地３１とは異なる色に着色されていることが好ましい。かかる場合には、着用者９０に後身頃１２の中央部分が防止機能を有することを視覚的に認識させて経血の漏れに対する安心感を与えることができる。また、例えば、夜用等の比較的に縦長の生理用ナプキンを生理用ショーツ内に配置するときに、後身頃防水布７１が股部１３から後身頃１２にかけてそれを配置するための位置決めとして作用することができる。このように、生理用ナプキンを適正な位置に配置することによって、経血の横漏れを抑制することができる。
【００３９】
図２，５を参照すると、股部１３には、股下生地３３の内面に固定された股下防水布８１と、股下防水布８１の肌対向面側に位置する、生理用ナプキン４０を身体に宛がうための当て布８２とを有する。股下防水布８１は、股部１３の両側縁に沿って配置された環状縫合ライン５５の一部と一対の横断縫合ライン５１，５２とによって、その外周縁部全体が股下生地３３に固定されている。
【００４０】
当て布８２は、縦方向Ｙへ延びる帯状を有し、股下防水布８１と縦方向Ｙの寸法がほぼ同じであり、かつ、それよりも幅狭であって、横方向Ｘの寸法が小さくなっている。当て布８２は、横方向Ｘへ延びる両端部が横断縫合ライン５１，５２において股下防水布８１に固定されており、縦方向Ｙへ延びる両側縁部は股下防水布８１に固定されておらず、両端部を除く部分はフリー（非固定）の状態にある。
【００４１】
当て布８２は、股下防水布８１と同様に防水布から形成されている。後身頃防水布７１、股下防水布８１及び当て布８２に使用される防水布は、ポリエチレン繊維、ポリエステル繊維及びアクリル繊維等の合成繊維からなる防水加工された編地であって、非伸縮性又は身生地３０よりも伸縮性が低くなっている。後身頃防水布７１は、複数の網目構造（鹿の子調組織）を有し、所要の防水性を備えるとともに、内部に滞留した熱気を外部に排出する程度の透湿性を有する。
【００４２】
生理用ナプキン４０は、肌対向面及び非肌対向面と、ナプキン本体内に配置された吸収体４１と、吸収体の両側から延出する一対の翼部４２とを有する。生理用ナプキン４０は、非肌対向面を股部の当て布８２に宛がった状態で翼部４２を折り曲げて当て布８２と股下防水布８１との間に挿し入れて、翼部４２の肌対向面側に位置する粘着部分４３を介して当て布８２の非肌対向面に取り付けることによって、生理用ショーツに安定的に固定することができる。当て布８２は、その両端部を除いてフリーであるので、股部１３において吊持された状態となり、生理用ナプキン４０を着用者９０の身体の動きに追従させるように移動させることができ、経血の漏れを効果的に防止することができる。
【００４３】
生理用ナプキン４０を当て布８２に取り付ける場合において、股下防水布８１の横方向Ｘの寸法と当て布８２の横方向Ｘの寸法とが同じ場合には、股下生地３３の伸縮作用によってそれらが縦方向Ｙへ伸長されて両側縁部どうしが重なり合うので当て布８２の両側縁部のみを摘持し難くなり、取り付け操作をスムーズに行うことができない。本実施形態においては、既述のとおり、当て布８２の横方向Ｘの寸法が股下防水布８１の横方向Ｘの寸法よりも小さいことから当て布８２の両側縁部を容易に摘持して、取り付け操作をスムーズに行うことができる。
【００４４】
また、本実施形態においては、股下生地３３が高い伸縮性を有することによって、所要の伸縮性を発揮して着用者９０の股間部にフィットされるとともに、内面側に、股下防水布８１と防水布から形成された当て布８２とによる２重の防水布が配置されていることによって、高い防水性を有する。したがって、仮に、生理用ナプキン４０の両側から経血が滲出しても外部へ漏出するのを効果的に防止することができる。ただし、股部１３が所要の防水性を発揮する限りにおいて、当て布８２は非防水性であってもよい。かかる場合であっても、股下防水布８１は、当て布８２よりも幅広であるので、当て布８２に取り付けられた生理用ナプキン４０から横漏れした経血の外部への移動を阻止することができる。
【００４５】
生理用ショーツの着用状態において、後身頃１２の中央部には縦断弾性体７０が配置されていることから、縦断弾性体７０と横断縫合ライン５２を介して連結された股部１３（股下生地３３）には、縦断弾性体７０の収縮力による前後方向Ｚにおける張力が作用される。かかる張力によって生理用ナプキン４０が着用者９０の股間部に押し当てられ、ナプキン本体の中央に位置する吸収体４１が膣口近傍に密着される。これによって、生理用ナプキンの吸収性が向上し、経血の横漏れが生じるのを抑制することができる。
【００４６】
図示していないが、股下防水布８１と当て布８２とが、互いに異なる色に着色された生地から形成されていてもよい。かかる場合には、着用者９０が生理用ナプキン４０を取り付ける際に生理用ショーツ内部を覗き込んだときに、当て布８２の位置や形状を瞬時に把握することができる。また、股下防水布８１及び/又は当て布８２を後身頃防水布７１と同じ色に着色することによって、生理用ショーツの内面は、股部１３から後身頃１２にかけて防水機能を備えていることを視覚的に認識させることができる。
【００４７】
本実施形態に係る生理用ショーツ１０においては、着用中において、身生地３０が比較的に高い伸縮性を有することから、前身頃１１が当接されることによって着用者９０が腹部を強く締め付けられるような圧迫感を感じることはない。また、臀部の形状に沿って身生地３０が縦方向Ｙ及び横方向Ｘへ良く伸びるので、臀溝と対向する部分においてピンと引っ張られたような状態となる。かかる場合には、臀溝との間に隙間が生じるので、生理用ナプキン４０から漏出した経血がそこを伝って外部に漏れ出るおそれがあるが、臀溝を覆うように低伸縮性又は非伸縮性の後身頃防水布７１が配置されていることによって、後身頃防水布７１の周辺に位置する身生地３０が臀溝側へ引っ張れるようにして後身頃防水布７１が臀溝と対向する位置に留まり、臀溝を埋めるようにして経血の流出路を塞ぐことができる。
【００４８】
さらに、臀溝に沿って縦断弾性体が位置することによって、その収縮作用でさらに強く後身頃防水布７１を臀溝に向かって押し当ててかかる経血の流出路を確実に塞ぐことができる。ただし、身生地３０は伸張性に富むものであることから、完全に身生地３０の伸張力に抗して臀溝を埋めることができないおそれがある。特に、生理用ナプキン４０が経血を吸収して重くなった場合には、身生地３０が縦方向Ｙへ伸びやすいことから、生理用ナプキン４０が股間部から離間して経血の横漏れを生じるおそれがある。
【００４９】
本実施形態においては、縦断弾性体７０の伸長応力を比較的に高く設定することによって、比較的に伸張性の高い身生地３０に抗してしっかりと臀溝に生理用ショーツを押し当てることができ、凹凸のある臀部の形状に沿うように安定的にフィットさせることができる。それによって、生理用ナプキン４０を股間部にフィットさせた状態が維持されて、経血の漏れを防止しうる。
【００５０】
また、レッグ弾性体６８が比較的に高い伸長応力を有する場合には、股部１３において生理用ショーツが横方向Ｘへ強く引かれて、縦断弾性体７０の張力によって生理用ナプキン４０を股間部に強く押し当てることができなくなるおそれがある。本実施形態においては、縦断弾性体６８の伸長応力がレッグ弾性体６８の伸長応力よりも高くなっている。それによって、股部１３が横方向Ｘへ強く引かれて、生理用ナプキン４０が股間部から離間してしまうのを抑制することができる。
【００５１】
また、縦断弾性体７０の縦方向Ｙにおける伸長応力は、ウエスト弾性体６６のウエスト回り方向における伸長応力以下である。既述のとおり、ウエスト弾性体６６の伸長応力は、所要のホールド力を発揮しつつ腹部に締め付け感を与えない程度の大きさであるが、縦断弾性体７０よりもその伸長応力が低い場合には、縦断弾性体７０の収縮力によってウエスト開口縁部がずり下がってしまう。したがって、縦断弾性体７０の伸長応力がウエスト弾性体６６の伸長応力よりも小さくなるように設定することによって、ウエスト開口縁部がずり下がって、生理用ナプキン４０が身体から離間されることはない。
【００５２】
ここで、縦断弾性体７０、ウエスト弾性体６６及びレッグ弾性体６８が同じ弾性材料から形成されている場合において、縦断弾性体７０の伸長倍率は１５−２５％、ウエスト弾性体６６の伸長倍率は２５−３５％、レッグ弾性体６８の伸長倍率は５−１０％である。縦断弾性体７０の伸長倍率が１５％未満の場合には、股部１３を身体へ押し当てようとする張力が十分に発揮されず、２５％よりも大きい場合には、ウエスト弾性体６６よりも高い伸長力を発揮して、ウエスト開口縁部がずり下げられてしまうおそれがある。
【００５３】
後身頃１２の後身頃防水布７１と股部１３の股下防水布８１とは、横断縫合ライン５２を介して互いに接合されているが、このように、一体ではなく別体であることが好ましい。後身頃防水布７１と股下防水布８１とが一体的に連続して形成されている場合には、股部１３全体に縦断弾性体７０の縦方向Ｙに作用する張力が直接的に作用して、着用者９０の鼠蹊部近傍との間に隙間が形成されてしまうおそれがあるところ、それが別体であることによって、かかる張力の直接的な影響を遮断して、股下防水布８１を適正な位置に配置することができる。
【００５４】
＜伸長応力の測定方法＞
各弾性体６６，６８の伸長応力の測定は、引張試験機（インストロン社製）を用いて引張スピード３００ｍｍ／ｍｉｎの条件下において測定する。まず、生理用ショーツ１０から各弾性体６６，６８を含む２５ｍｍ幅の弾性域（身生地３０を含む）を切り出して試験片とし、それを引張試験機のチャック間（初期のチャック間距離は１００ｍｍとする）に収縮した状態で固定し、各試験片における最大伸長時の長さ寸法を測定し、これを最大寸法（１００％）とする。その後、温度２０℃、湿度６０％の条件下で、試験片を４８時間放置する。４８時間経過した後、試験片を最大寸法の８５％の寸法まで伸長させ、その後、最大寸法の７５％の寸法まで戻し、この時点における応力を測定し、この測定値を各ウエスト弾性体の伸長応力（Ｎ/２５ｍｍ）とした。また、身生地３０の伸長応力の測定についても、身生地を２５ｍｍ幅に切り出して試験片とし、ウエスト弾性域６１についても生理用ショーツ１０から２５ｍｍ幅に切り出して試験片として、同様の方法によって測定した。なお、各試験片において製品から２５ｍｍ幅を切り出すことができない場合には、２５ｍｍ幅に換算して伸長応力を算出する。
【００５５】
図６を参照すると、生理用ショーツ１０は、股部１３の中央部分１３Ａ、すなわち、着用者９０の下腹部の下端９２と当接される部分から下方へ延出する円筒状部２０をさらに有する。円筒状部２０は、着用者９０の大腿部９１の付け根側を囲堯する環状を有し、着用者９０の鼠蹊部の付け根９３に当接される内側部分２１と、その横方向Ｘの外側に位置して大腿部９１に当接される外側部分２２とを有する。円筒状部２０の内側部分２１は、股部１３の中央部分１３Ａの両側に位置する両側部から形成されている。
【００５６】
図７（ａ）を参照すると、生理用ショーツ１０を着用した着用者９０が仰向けで就寝している状態において、生理用ショーツ１０は全体的に伸縮性生地から形成された身生地３０によって身体に安定的にフィットされるとともに、股部１３に浮きマチ仕様に配置された当て布８２に生理用ナプキン４０が取り付けられていることによって、生理用ナプキン４０も身体に安定してフィットされている。股部の中央部分から上方へ抉るようにレッグ開口が形成された、いわゆるハイレグタイプのショーツの場合には、大腿部９１の上部が露出しており、わずかに身体を動かしただけでもレッグ開口縁部が股間部に引き込まれた状態となってしまうので、股部に生理用ナプキンを装着した場合には、生理用ナプキンの位置ずれが生じやすくなる。
【００５７】
本実施形態に係る生理用ショーツ１０は、円筒状部２０を備えた一分丈のショーツ（又は、トランクスタイプ）であるから、着用者９０の胴回り及び大腿部９１の付け根全体が被覆され、生理用ナプキン４０が股部１３において安定して配置されて位置ずれを生じることを抑制することができる。また、外観において、生理用ナプキン４０の位置ずれ及び経血の横漏れをしないような安心感を着用者９０に与えることができる。さらに、このように身体の比較的に広い範囲を覆っても、身生地３０が伸縮性に富むので、着用者９０に締め付け感を与えることはない。
【００５８】
仮に、生理用ナプキン４０の吸収容量以上の経血が排泄された場合であっても、股部１３が防水性を有し、着用者９０の鼠蹊部の付け根に当接される円筒状部２０の内側部分２１も防水性を有することから、経血が生理用ショーツから横漏れすることを防止することができる。
【００５９】
図７（ｂ）に示すように、着用者９０が寝返りをして両脚の大腿部９１が互いに交差したような状態となったときには、円筒状部２０が身体の動きによって変形されて身体との間に隙間が生じ、経血の横漏れを生じるおそれがある。特に、生理用ショーツは、伸縮性の高い身生地３０によって外形が形成されているので、身体の移動する方向へ連動するように伸長されてしまい、かかる隙間が形成されやすくなるといえる。図７（ｃ）を参照すると、かかる隙間が形成された状態のまま着用者９０が横臥した状態となった場合には、経血が身体を伝って下方へ向かって移動し衣服を汚してしまうおそれがある。
【００６０】
本実施形態においては、円筒状部２０の内側部分２１に股下防水布８１が配置されていることによって、内側部分２１は外側部分２２よりも伸縮性が低くなっている。そのために、着用者９０が寝返りをして両脚を交差させた状態となったとき、円筒状部２０の外側部分２２は身体の動きに連動するように伸長される一方、それよりも伸縮性の低い内側部分２１は外側部分２２に追従するように伸縮されることはなく、適正な位置に留まり、着用者９０の鼠蹊部の付け根９３近傍に当接した状態を維持するので、身体と円筒状部２０との間に経血の横漏れの原因となる隙間が形成されることはない。
【００６１】
また、前身頃１１は後身頃１２及び股部１３に比べて縦方向Ｙ及び横方向Ｘに伸び易いことから、着用者９０が寝返りをして腹部が大きく変形しても、前身頃１１がその動きに追従して伸張されるので、前身頃１１が身体から離間することによる、生理用ナプキン４０のフィット性の低下を防止することができる。
【００６２】
このように、生理用ショーツ１０を夜用として使用するときには、着用者９０は腹部が締め付けられることなくリラクッスした状態で着用することができるとともに、円筒状部２０が大腿部９１に付け根にしっかりとフィットされ、かつ、生理用ナプキン４０から経血が漏れ出ても股下防水布８１でしっかりとガードされるので、着用者９０は、生理用ショーツ１０の外に経血が流れ出て衣服や布団に付着する等の心配をすることなく、安心して就寝することができる。
【００６３】
再び、図３を参照すると、後身頃１２の外面において、縦断弾性体７０が固定された部分には、小さな複数のギャザーからなるシャーリング域１８が形成されている。後身頃１２の外面にシャーリング域１８が形成されることによってその内面側に位置する後身頃防水布７１にも襞が形成されて肌との接触面積が減少する。それによって、臀溝近傍に対する摩擦抵抗が低下して生理用ショーツを快適に着用することができる。
【００６４】
生理用ショーツを構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００６５】
１０  生理用ショーツ
１１  前身頃
１２  後身頃
１３  股部
２０  円筒状部
２１  内側部分
２２  外側部分
６６  ウエスト弾性体
６８  レッグ弾性体
７０  縦断弾性体
７１  後身頃防水布
８１  股下防水布
８２  当て布
Ｘ  横方向
Ｙ  縦方向
【図１】
2018075313.tif 000003
【図２】
2018075313.tif 000004
【図３】
2018075313.tif 000005
【図４】
2018075313.tif 000006
【図５】
2018075313.tif 000007
【図６】
2018075313.tif 000008
【図７】
2018075313.tif 000009